(57)【特許請求の範囲】
【請求項１】
剛性の把持部材（１２）を有する、手で握るためのグリップであって、動物を連れて行くためのリードを巻き取りかつ繰り出すためのリード装置を保持するためのグリップにおいて、異なる手の幅に対してグリップ長を設定するための、調節可能なグリップ長制限部（１１）が備わっていることを特徴とするグリップ。
【請求項２】
前記グリップ長制限部（１１）は、前記把持部材（１２）の長手方向に、調節機構（１６、１１６、２１、２５、２８、３０、３２、３３、４３、４６）によって、連続的および／あるいは断続的に調節可能および／あるいは位置調整可能であることを特徴とする請求項１に記載のグリップ。
【請求項３】
前記把持部材（１２）は、少なくとも部分的に手のひらに当接する掌把持側（１３）と、少なくとも部分的に指のひらに当接する指把持側（１４）と、を有することを特徴とする請求項１または２に記載のグリップ。
【請求項４】
少なくとも部分的に小指および／あるいは手の縁を取り巻く前記グリップ長制限部（１１）は、前記把持部材（１２）に設けられていることを特徴とする請求項１から３のいずれか一項に記載のグリップ。
【請求項５】
前記把持部材（１２）と接合されたグリップ湾曲部（１５）が備わっており、該グリップ湾曲部（１５）は、前記把持部材（１２）の指把持側（１４）に対向していることを特徴とする請求項１から４のいずれか一項に記載のグリップ。
【請求項６】
前記グリップ湾曲部（１５）と前記把持部材（１２）とは、少なくとも部分的に指を通すためのグリップ開口部（１９）を形成し、前記グリップ長制限部（１１）は、前記グリップ開口部（１９）内部に設けられていることを特徴とする請求項１から５のいずれか一項に記載のグリップ。
【請求項７】
最大グリップサイズ位置では前記グリップ長制限部（１１）は、少なくとも部分的に前記把持部材（１２）および／あるいは前記グリップ湾曲部（１５）に組み込まれており、グリップサイズ位置を縮小するために、前記グリップ長制限部（１１）は前記把持部材（１２）の長手方向に調節可能であることを特徴とする請求項１から６のいずれか一項に記載のグリップ。
【請求項８】
前記調節機構（１６、１１６、２１、２５、２８、３０、３２、３３、４３、４６）は、移動機構および／あるいは回動機構として形成されていることを特徴とする請求項２から７のいずれか一項に記載のグリップ。
【請求項９】
回動機構の場合には、前記把持部材（１２）あるいは前記グリップ湾曲部（１５）に配設されるおよび／あるいは移動機構とともに移動可能な、前記グリップ長制限部（１１）を回動させるための回動軸（２０）が備わっていることを特徴とする請求項１から８のいずれか一項に記載のグリップ。
【請求項１０】
前記調節機構（１６、１１６、２１、２５、２８、３０、３２、３３、４３、４６）を操作するための操作要素（２３）が備わっており、該操作要素（２３）は、前記把持部材（１２）、前記グリップ湾曲部（１５）あるいは前記グリップ長制限部（１１）に配設されていることを特徴とする請求項２から９のいずれか一項に記載のグリップ。
【請求項１１】
前記移動機構および／あるいは前記回動機構は、ギア機構、停止機構および／あるいはクリップ機構を備えていることを特徴とする請求項８から１０のいずれか一項に記載のグリップ。
【請求項１２】
停止機構の場合には、前記把持部材（１２）および／あるいは前記グリップ湾曲部（１５）の領域に、前記グリップ長制限部（１１）の少なくとも１つの第２停止要素（１８、１１８）および／あるいは停止部材（３５、３６）と協働する第１停止要素（１７、１１７）および／あるいは停止レール（３４）が設けられていることを特徴とする請求項１から１１のいずれか一項に記載のグリップ。
【請求項１３】
前記移動機構は、前記把持部材（１２）あるいは前記グリップ湾曲部（１５）に設けられたスピンドル（２２）を備え、該スピンドル（２２）は、該スピンドル（２２）と協働する前記グリップ長制限部（１１）を調節するための操作要素（２３）によって操作可能であることを特徴とする請求項８から１２のいずれか一項に記載のグリップ。
【請求項１４】
請求項１から１３のいずれか一項に記載のグリップ（１０）を有する、リードを巻き取りかつ繰り出すための、動物を連れて行くためのリード装置であって、前記グリップ（１０）は、リード装置のハウジングに組み込まれているリード装置。
【発明の詳細な説明】
【技術分野】
【０００１】
本発明は、剛性の把持部材を有する、手で握るためのグリップ、特に動物を連れて行くためのリードを巻き取りかつ繰り出すためのリード装置を保持するためのグリップに関する。
【背景技術】
【０００２】
そのようなグリップは、たとえば特許文献１から知られている。この場合グリップは、リード装置のためのハウジングの、組み込まれた構成要素として形成されている。リード装置は、たとえば犬あるいは猫のような動物を連れて行くための、巻き取り可能かつ繰り出し可能なリードを備える。グリップによって、リード装置は、片手で持つことができる。
【０００３】
この場合不利なのは、剛性の把持部材の長さが変えられないように予め決められていることである。これによって、できる限りユニバーサルに、つまりできる限り多くの異なる手の大きさおよび／あるいは手の幅に使用可能な把持部材を備えることが必要である。しかしながらこの場合、特に、手の大きさおよび／あるいは手の幅が小さい人にとって持ったときの快適性が不充分であるという危険がある。代替的には、異なる手の大きさおよび／あるいは手の幅用の把持部材のための異なる長さを有する複数の様々なグリップを備えることも、考えられ得る。しかしながらこれによって、製造コストと在庫コストが著しく高くなる。
【先行技術文献】
【特許文献】
【０００４】
【特許文献１】独国実用新案第２９９０４８８２号明細書
【発明の概要】
【発明が解決しようとする課題】
【０００５】
それゆえ本発明の問題は、冒頭で述べられたようなグリップを、異なる手の大きさおよび／あるいは手の幅の人にとって持ったときの高い快適性が可能であるようにさらに改善させることである。
【課題を解決するための手段】
【０００６】
本発明の基礎となる問題を解決するために、冒頭で述べられたようなグリップは、異なる手の幅に対してグリップ長を設定するための、調節可能なグリップ長制限部が備わっていることを特徴とする。
【０００７】
この場合有利なのは、異なる手の大きさおよび／あるいは手の幅の人に対して、同一のグリップが設定可能であることである。それによって、どのような手の大きさおよび／あるいは手の幅でも、持ったときの充分に高い快適性を伴うグリップサイズ位置が実現可能である。この場合グリップは、剛性の把持部材によって引き続き強固であり、かつ確実な保持を可能にする。付加的に調節可能なグリップ長制限部によって、グリップ長は設定可能である。好適にはグリップ長は、使用時に、手の縁および／あるいは小指に当たる把持部材の領域においてグリップ長制限部によって調節可能である。グリップ長制限部が調節可能であることによって、手の縁および／あるいは小指がグリップ長制限部に当接可能であるグリップサイズ位置が実現可能であることが保証され得る。これによって、グリップおよび／あるいは把持部材の確実な保持が可能である。小指とは、本件では薬指と手の縁との間の指と理解され得る。好適にはグリップ長制限部は、それぞれのグリップサイズ位置に、特に決定装置によって決定可能である。
【０００８】
さらなる実施形態に従えば、グリップ長制限部は、把持部材の長手方向に、調節機構によって調節可能および／あるいは位置調整可能である。調節機構によって、特に２つのストッパの間での、グリップ長制限部の連続的なおよび／あるいは断続的な調節および／あるいは位置調整を可能にできる。それによって、予め決められた控えめなグリップサイズ位置あるいは連続的に変更可能なグリップサイズ位置が実現可能である。調節機構は、機械的、電気的および／あるいは電気機械的に形成されていてよい。好適には、グリップ長制限部は、Ｕ字形に形成されている。特に把持部材は、少なくとも部分的に手のひらに当接する掌把持側と、少なくとも部分的に指のひらに当接する指把持側とを有する。これによって、グリップの使用時に剛性の把持部材を手の中で確実に保持することが達成可能である。
【０００９】
特に、少なくとも部分的に小指および／あるいは手の縁を取り巻くグリップ長制限部は、把持部材に設けられている。これによって、グリップもしくは把持部材を手の中でさらに確実に保持することが保証できる。特に、使用時にたとえば動物を連れて行く際に引張負荷がかかるリード装置では、これによって、グリップが確実に手の中にある。
【００１０】
さらなる形態に従えば、把持部材と接合された特に把持部材と一体的に形成されたグリップ湾曲部が備わっている。特に、グリップ湾曲部は、剛性に形成されている。好適にはグリップ湾曲部および／あるいは把持部材は、リード装置のハウジングの一体的な構成要素として形成されている。特にグリップ湾曲部は、把持部材の指把持側に対向している。これによって、指特に指の外側が保護されている。グリップ湾曲部の、指把持側から背向している領域には、リードロールのためのハウジング部材が設けられていてよい。使用時には、リードもしくはリードロールは、グリップを保持している人から、手の前方に位置している。これによって、リード装置の良好な機能性がもたらされると同時に持ったときの高い快適性ももたらされる。
【００１１】
特に、グリップ湾曲部と把持部材とは、少なくとも部分的に指を通すためのグリップ開口部を形成する。好適には、グリップ開口部は、グリップ湾曲部と把持部材とによって取り囲まれている。これによって、特に強固な構成がもたらされる。特に、グリップ長制限部は、グリップ開口部の内部に設けられている。最大グリップサイズ位置は、グリップ開口部の大きさによって予め決められていてよい。調節可能なグリップ長制限部によって、最大グリップサイズ位置と比べてより小さなグリップサイズ位置が実現可能である。このために、グリップ長制限部は、好適にはグリップ開口部内部で調節可能である。
【００１２】
さらなる実施形態に従えば、最大グリップサイズ位置ではグリップ長制限部は、少なくとも部分的に把持部材および／あるいはグリップ湾曲部に組み込まれている。これによって、美的感覚に特に訴える構成が実現可能である。さらに、グリップ長制限部を備えることによって、最大グリップサイズ位置を縮小するのを回避できる。好適には、グリップサイズ位置を縮小するために、グリップ長制限部は把持部材の長手方向に調節可能である。これによって、グリップ長は、異なる手の幅に効果的かつ容易に設定可能である。
【００１３】
好適には、調節機構は、移動機構および／あるいは回動機構として形成されている。移動機構の場合には、グリップ長制限部は、特に把持部材の長手方向に移動可能である。回動機構の場合には、グリップ長制限部は、回動可能である。特に、調節機構は、移動機構と回動機構との組み合わせとして形成されている。この場合、グリップ長制限部は、移動可能でもあり回動可能でもある。回動と移動とは、互いに独立して、あるいは互いに同時に行われてよい。これによって、多くの調節機構が実現可能である。好適には、回動機構の場合には、特に把持部材あるいはグリップ湾曲部に配設されるおよび／あるいは移動機構とともに移動可能な、グリップ長制限部を回動させるための回動軸が備わっている。回動軸は、物質的に形成されていてよく、あるいは、グリップ長制限部がそれを中心に回動可能な仮想的な回動軸として備わっていてよい。
【００１４】
さらなる形態に従えば、調節機構を操作するための操作要素が備わっている。操作要素は、ボタン、回転輪あるいはローレット車として形成されていてよい。好適には、操作要素は、把持部材、グリップ湾曲部あるいはグリップ長制限部に配設されている。特に、操作手段は、手でグリップを保持する間、手の少なくとも１つの指で操作するために意図されており、かつそれに応じて位置付けされている。好適には、操作要素は、使用時にグリップもしくは把持部材を保持する手の親指で操作するために形成されている。これによって、グリップサイズの容易で快適かつ迅速な取り扱いおよび／あるいは設定が可能である。
【００１５】
さらなる実施形態に従えば、移動機構および／あるいは回動機構は、ギア機構、停止機構および／あるいはクリップ機構を備える。これによって、多数の異なる調節機構が実現可能である。好適には、停止機構の場合には、把持部材および／あるいはグリップ湾曲部の領域に、特に、グリップ長制限部の少なくとも１つの第２停止要素および／あるいは停止部材と協働する第１停止要素および／あるいは停止レールが設けられている。そのような停止機構によって、予め決められたグリップサイズ位置が設定可能である。
【００１６】
好適には移動機構は、把持部材あるいはグリップ湾曲部に設けられたスピンドルを備える。スピンドルは特に、把持部材あるいはグリップ湾曲部の内部に回転可能に軸受けされている。好適には、スピンドルは、その長手配列に関して、把持部材あるいはグリップ湾曲部の長手配列に、特にその配列に対して平行に、配列されている。スピンドルは、当該スピンドルと協働するグリップ長制限部を調節するための操作要素特に回転輪によって、操作可能であってよい。この場合操作要素は、スピンドルと接合されていてよい。好適には、操作要素は、スピンドルの端部と堅固に接合されているローレット車として形成されている。この場合、ローレット車の回転軸の位置は、スピンドルの回転軸の位置と同じであってよい。ローレット車の円周面は、少なくとも部分的に指把持側、掌把持側および／あるいは剛性の把持部材の側面の領域において、操作要素を操作するために、自由に触れることができてよい。
【００１７】
好適にはグリップ長制限部は、スピンドルと協働するスピンドルナットを有する。操作要素を操作すると、スピンドルは回転させられる。これによって、回転不能に把持部材あるいはグリップ湾曲部内に設けられたスピンドルナットが、スピンドルの長手方向に動き、それによってグリップ長制限部が調節される。
【００１８】
特別有利なのは、リードを巻き取りかつ繰り出すための、特に動物を連れて行くためのリード装置であって、本発明に係るグリップを有するリード装置である。好適にはグリップは、リード装置のハウジングに組み込まれている。それによってグリップは、リード装置を持つために用いられる。リード装置は、巻き取り可能かつ繰り出し可能なリードを有する、ハウジング内に取り付けられたロープロールを備えてよい。リードは、ロープおよび／あるいはベルトとして形成されていてよい。ハウジング開口部によって、リードはハウジングから外部に向かってガイドされ得る。好適には、ブレーキ装置特にブレーキボタンが備わっている。ブレーキ装置によって、リードロールの繰り出し運動および／あるいは巻き取り運動が停止可能である。これによって、最大リード長と異なるより短いリード部分長を決定できる。さらに、リードをリードロールに自動的に巻き取るために、復帰機構特に復帰バネが備わっている。
【００１９】
以下に、図に基づいて本発明がより詳細に説明される。図に示されるのは以下である。
【図面の簡単な説明】
【００２０】
【図１ａ】グリップ長制限部の異なるグリップサイズ位置を有する、本発明に係る第１のグリップの側面断面図である。
【図１ｂ】グリップ長制限部の異なるグリップサイズ位置を有する、本発明に係る第１のグリップの側面断面図である。
【図１ｃ】グリップ長制限部の異なるグリップサイズ位置を有する、本発明に係る第１のグリップの側面断面図である。
【図１ｄ】グリップ長制限部の異なるグリップサイズ位置を有する、本発明に係る第１のグリップの側面断面図である。
【図１ｅ】付加的なさらなる停止要素を有する、本発明に係る第１のグリップの側面断面図である。
【図２ａ】グリップ長制限部の異なるグリップサイズ位置を有する、本発明に係る第２のグリップの側面断面図である。
【図２ｂ】グリップ長制限部の異なるグリップサイズ位置を有する、本発明に係る第２のグリップの側面断面図である。
【図３ａ】グリップ長制限部の異なるグリップサイズ位置を有する、本発明に係る第３のグリップの側面断面図である。
【図３ｂ】グリップ長制限部の異なるグリップサイズ位置を有する、本発明に係る第３のグリップの側面断面図である。
【図４ａ】グリップ長制限部の異なるグリップサイズ位置を有する、本発明に係る第４のグリップの側面断面図である。
【図４ｂ】グリップ長制限部の異なるグリップサイズ位置を有する、本発明に係る第４のグリップの側面断面図である。
【図５ａ】グリップ長制限部の異なるグリップサイズ位置を有する、本発明に係る第５のグリップの側面断面図である。
【図５ｂ】グリップ長制限部の異なるグリップサイズ位置を有する、本発明に係る第５のグリップの側面断面図である。
【図６ａ】グリップ長制限部の異なるグリップサイズ位置を有する、本発明に係る第６のグリップの側面断面図である。
【図６ｂ】グリップ長制限部の異なるグリップサイズ位置を有する、本発明に係る第６のグリップの側面断面図である。
【図７ａ】グリップ長制限部の異なるグリップサイズ位置を有する、本発明に係る第７のグリップの側面断面図である。
【図７ｂ】グリップ長制限部の異なるグリップサイズ位置を有する、本発明に係る第７のグリップの側面断面図である。
【図７ｃ】図７ａ及び図７ｂに従ったグリップ長制限部の斜視側面図である。
【図８ａ】グリップ長制限部の異なるグリップサイズ位置を有する、本発明に係る第８のグリップの側面断面図である。
【図８ｂ】グリップ長制限部の異なるグリップサイズ位置を有する、本発明に係る第８のグリップの側面断面図である。
【図９ａ】グリップ長制限部の異なるグリップサイズ位置を有する、本発明に係るさらなるグリップの側面断面図である。
【図９ｂ】グリップ長制限部の異なるグリップサイズ位置を有する、本発明に係るさらなるグリップの側面断面図である。
【発明を実施するための形態】
【００２１】
図１ａから図１ｅは、グリップ長制限部１１の異なるグリップサイズ位置を有する、本発明に係る第１のグリップ１０の側面断面図を示している。グリップ１０は、ここでは詳細に表わされていない、リード装置のハウジングの、組み込まれた構成要素である。グリップ１０は、ここでは詳細に表わされていない片手で握るために意図されている剛性の把持部材１２を備える。
【００２２】
剛性の把持部材１２は、掌把持側１３と、当該掌把持側１３から背向して設けられている指把持側１４とを備える。グリップ１０の使用時には、把持部材１２は、手のひらが少なくとも部分的に掌把持側１３に当接するように握られる。さらに、グリップ１０の使用時には、指のひらが少なくとも部分的に指把持側１４に当接する。把持部材１２は、片手で握るために、人間工学的に形作られている。
【００２３】
さらに、グリップ湾曲部１５が備わっている。グリップ湾曲部１５は、把持部材１２と一体的に形成されており、指把持側１４に対向している。使用時には、指の甲が、グリップ湾曲部１５に対向する。グリップ湾曲部１５と把持部材１２とは、グリップ１０を握るために少なくとも部分的に指を挿入するおよび／あるいは通すためのグリップ開口部１９を形成する。
【００２４】
グリップ１０は、グリップ長制限部１１を調節するための調節機構１６を有する。グリップ長制限部１１は、ほぼＵ字形に形成されている。さらに、グリップ長制限部１１は、ここで示されている実施例では、剛性に形成されている。さらに、小指および／あるいは手の縁を少なくとも部分的に取り巻くためのグリップ長制限部１１が、把持部材１２に設けられている。調節機構１６によって、異なる手の幅にグリップ長を設定するためのグリップ長制限部１１が調節可能である。
【００２５】
ここで示されている実施例では、調節機構１６は把持部材１２に組み込まれており、同時に、移動機構および回動機構として形成されている。グリップ長制限部１１を、把持部材１２の長手方向に移動させるために、第１停止要素１７が備わっている。ここで示されている実施例では、３つの様々な移動位置を可能にする、３つの第１停止要素１７が備わっている。第１停止要素１７は、把持部材１２の組み込まれた構成要素である。
【００２６】
グリップ長制限部１１は、第１停止要素１７のそれぞれ１つと協働する第２停止要素１８を有する。第２停止要素１８は、グリップ長制限部１１とともに、３つの第１停止要素１７のそれぞれ１つに移動可能もしくは係止可能である。
【００２７】
ここで示されている実施例では、第２停止要素１８は、回動軸２０を備える。回動軸２０によってグリップ長制限部１１は、ここで示されている例において、２つの様々な回動位置に係止可能である。代替的に、２つ以上の回動位置特に２つから１０の回動位置が考えられ得る。グリップ長制限部１１を回動させるために、当該グリップ長制限部１１は、ここで示されている例においては、回動軸２０を中心に２つの回動位置の間でおよそ４５度に回動可能である。回動軸２０は、把持部材１２とグリップ長制限部１１の長手配列を通って広がっている平面に対して横切って、ここでは特に直角に配列されている。
【００２８】
３つの移動位置と２つの回動位置とによって、図１ａから図１ｄに従った実施形態では、それぞれ全部で６つのグリップサイズ位置が可能である。
【００２９】
図１ａから、グリップ長制限部１１が、Ｕ字形に形成された、把持部材１２からグリップ湾曲部１５への移行領域４８に部分的に組み込まれている、最大グリップサイズ位置が明らかとなり得る。この移行領域４８は、使用時に、グリップ１０もしくは把持部材１２を保持する手の縁および／あるいは小指に当たる。
【００３０】
図１ｂのグリップサイズ位置は、グリップ長制限部１１が、より小さい手の幅に対してグリップ長を縮小するために、回動軸２０を中心に指把持側１４の方向におよそ４５度回動されているという点で、図１ａに従ったグリップサイズ位置とは異なっている。
【００３１】
最小グリップサイズ位置を達成するために、グリップ長制限部は、図１ｂに従ったグリップサイズ位置から図１ｃに従ったグリップサイズ位置へ移動可能である。
【００３２】
図１ｄに従ったグリップサイズ位置においては、グリップ長制限部は、図１ｃに従ったグリップサイズ位置から、回動軸２０を中心に指把持側１４から離れておよそ４５度回動されている。
【００３３】
図１ｅに従ったグリップサイズ位置は、図１ｄに従ったグリップサイズ位置に相当する。しかしながら図１ａから図１ｄまでとは異なって、図１ｅに従えば、グリップ湾曲部１５に配設されているさらなる第１停止要素１１７が備わっている。さらに、図１ｅに従ったグリップ長制限部１１は、さらなる第２停止要素１１８を有する。このさらなる第２停止要素１１８は、グリップ長制限部１１の自由端部に配設されており、さらなる第１停止要素１１７のそれぞれ１つと協働する。これによって、グリップ長制限部１１を特に強固に位置付けすることが可能である。さらにここでは、ここで示されている実施例では単なる移動機構として形成されている調節機構１１６が備わっている。それによって、図１ｅに従った実施形態によれば、全部で３つのグリップサイズ位置が実現可能である。代替的に、調節機構１１６は、調節機構１６に従って、同時に移動機構としても回動機構としても形成されていてよい。これによって、全部で６つのグリップサイズ位置が実現可能となり得る。
【００３４】
図２ａ及び図２ｂは、グリップ長制限部１１の異なるグリップサイズ位置を有する、本発明に係る第２のグリップ１０の側面断面図を示している。先のと同じ特徴には、同じ符号が付いている。その限りでは、先の記述も指摘される。
【００３５】
ここでは同様に剛性に形成されているグリップ長制限部１１を断続的に調節するために、調節機構２１が備わっており、当該調節機構２１は、ここで示されている実施例においては、グリップ長制限部を把持部材１２の長手方向に移動するための移動機構として形成されている。
【００３６】
調節機構２１は把持部材１２に組み込まれており、スピンドル２２を備える。スピンドル２２は、その長手軸に関して、把持部材１２の長手軸の方向に、すなわち当該長手軸に対してほぼ平行に配列されている。スピンドル２２は、ここでは回転輪もしくはローレット車として形成されている操作要素２３と堅固に接合されている。操作要素２３の回転軸は、スピンドル２２の長手軸に対して平行に配列されている。操作要素２３はここでは、グリップ長制限部から背向する、スピンドル２２の１つの端部に設けられている。この場合操作要素２３は、ここで示されている実施例においては、操作要素２３の操作面、すなわちここではローレット車の円周面が、少なくとも部分的に指把持側１４の領域において、自由に触れることができるように、把持部材１２に組み込まれている。ここで示されている例においては、操作面は指把持側１４と同一平面上に延在している。それによって、操作要素２３は、使用時に、１つの指特に人差し指あるいは中指によって快適に操作可能である。代替的にあるいは付加的に、操作面は、たとえば親指で操作するために、把持部材１２の側面および／あるいは掌把持側１３でも少なくとも部分的に自由に触れることができてよい。
【００３７】
グリップ長制限部１１には、回転不能に把持部材１２内でガイドされているスピンドルナット２４が配設されている。操作要素２３を操作し、スピンドル２２を回転させることによって、スピンドルナット２４と、当該スピンドルナット２４と接合されているグリップ長制限部１１とは、スピンドル２２もしくは把持部材１２の長手方向に移動可能である。
【００３８】
この場合、操作要素２３の方向への移動は、ストッパ４９によって制限されている。ストッパ４９は、スピンドルナット２４の平坦面が接触し得る平坦面を備える。ストッパ４９とスピンドルナット２４の平坦面によって、望ましくない材料の摩耗が回避される。
【００３９】
グリップサイズを異なる手の幅に設定するために、異なるグリップサイズ位置が実現可能である。
【００４０】
図２ａから、グリップ長制限部１１が、把持部材１２からグリップ湾曲部１５への移行領域４８に少なくとも部分的に組み込まれている、最大グリップサイズ位置が明らかとなり得る。この移行領域４８は、使用時に、グリップ１０もしくは把持部材１２を保持する手の縁および／あるいは小指に当たる。この位置で、スピンドルナット２４は、操作要素２３から背向する、スピンドル２２の１つの端部の領域において、移行領域４８の内側に接触する。
【００４１】
図２ｂから、スピンドルナット２４が、操作要素２３に対向する、スピンドル２２の１つの端部の領域において、ストッパ４９に接触する最小グリップサイズ位置が明らかとなり得る。
【００４２】
図３ａ及び図３ｂは、グリップ長制限部１１の異なるグリップサイズ位置を有する、本発明に係る第３のグリップ１０の側面断面図を示している。先のと同じ特徴には、同じ符号が付いている。その限りでは、先の記述も指摘される。
【００４３】
ここで示されている実施例においては、グリップ長制限部１１はフレキシブルに形成されている。グリップ長制限部１１の第１端部は、把持部材１２に配設されている。この場合、グリップ長制限部１１は、把持部材１２に配設された回動軸２０を中心に回動可能である。グリップ長制限部１１を回動軸２０に固定するために、グリップ長制限部１１は鳩目２７を有する。
【００４４】
グリップ長制限部１１の第１端部から背向する第２端部はグリップ湾曲部１５に配設されており、当該グリップ湾曲部１５に挿入されている。グリップ湾曲部１５の内部には、調節機構２５が設けられている。調節機構２５は、ここでは押しボタンとして形成されている操作要素２３を有する。操作要素２３は、グリップ湾曲部１５から指把持側１４の方向に突出している。
【００４５】
グリップ長制限部１１の第２端部は、操作要素２３と接合されている。さらに、操作要素２３は、グリップ湾曲部１５の方向に、ここでは詳細に表されていない復帰要素の力に対抗して押込み可能である。操作要素２３は、押し下げられていない状況では、グリップ湾曲部１５と堅固に接合されている歯列２６に係合する。これによって停止接合が実現される。操作要素２３を操作すると、すなわちグリップ湾曲部１５の方向に操作要素２３を押し下げると、操作要素２３と歯列２６との間の接合が解除される。それに続いて操作要素２３は、グリップ長制限部１１の第２端部とともに、グリップ湾曲部１５あるいは把持部材１２の長手配列にほぼ平行にもしくはその方向に、連続的に移動可能である。操作要素２３を放すとすぐ、操作要素２３は自動的に把持部材１２の方向に動く。これによって、操作要素は歯列２６に係合し、それによって停止接合が実現される。
【００４６】
調節機構２５は、ここでは移動機構と調節機構として形成されている。この場合、グリップ長制限部１１の移動は、操作要素２３によってもたらされる。この場合、移動と同時に、回動軸２０を中心とするグリップ長制限部１１の回動がもたらされる。
【００４７】
調節機構２５と、フレキシブルに構成されたグリップ長制限部１１とによって、グリップ長制限部１１の長さは、グリップ開口部１９の領域において変更可能である。様々に設定可能なグリップ長制限部１１の長さによって、様々なグリップサイズ位置が連続的に設定可能である。
【００４８】
図３ａから、グリップ長制限部１１が把持部材１２とグリップ湾曲部１５に組み込まれている最大グリップサイズ位置が明らかとなり得る。操作要素２３は、歯列２６の下部端部にある。
【００４９】
図３ｂにおいては、グリップ長制限部１１は、最小グリップサイズ位置にある。ここでは、操作要素２３は、歯列２６の上部端部にある。
【００５０】
図４ａ及び図４ｂは、グリップ長制限部１１の異なるグリップサイズ位置を有する、本発明に係る第４のグリップ１０の側面断面図を示している。先のと同じ特徴には、同じ符号が付いている。その限りでは、先の記述も指摘される。
【００５１】
ここで示されている実施例においては、グリップ長制限部１１は剛性に実施されている。調節機構２８は、把持部材１２に組み込まれている。この場合、グリップ長制限部１１の第１端部は、把持部材１２に挿入されている。
【００５２】
さらに、操作要素２３は把持部材１２内に設けられており、操作要素２３は、ここで示されている実施例においては、回転可能な回転ディスクとして形成されている。操作面はここでは、操作要素２３の円周面として、操作要素２３を操作するために、少なくとも部分的に掌把持側１３の領域において、自由に触れることができる。グリップ長制限部１１の第１端部は、操作要素２３の中心点の外側にもしくは偏心にかつ回転軸２９を中心に回転可能に、操作要素２３と接合されている。
【００５３】
グリップ長制限部１１の第１端部から背向する第２端部は、グリップ湾曲部１５に配設されている。この場合第２端部もしくはグリップ長制限部１１は、グリップ湾曲部１５に配設された回動軸２０を中心に回動可能である。
【００５４】
それによって、調節機構２８は、連続的に調節可能なグリップサイズ位置を可能にする。この場合調節機構２８は、回動機構として形成されている。
【００５５】
図４ａは、回転軸２９が把持部材１２からグリップ湾曲部１５への移行領域４８に対向する最大グリップサイズ位置を示している。この移行領域４８は、使用時に、グリップ１０もしくは把持部材１２を保持する手の縁および／あるいは小指に当たる。この場合グリップ長制限部１１は、この移行領域４８に、形状接続的に当接している。
【００５６】
それに対して図４ｂから、回転軸２９が把持部材１２からグリップ湾曲部１５への移行領域４８から背向する最小グリップサイズ位置が明らかとなり得る。ここではグリップ長制限部１１は、図４ａと比べて、回動軸２０を中心に移行領域４８から離れて回動させられている。
【００５７】
図５ａ及び図５ｂは、グリップ長制限部１１の異なるグリップサイズ位置を有する、本発明に係る第５のグリップ１０の側面断面図を示している。先のと同じ特徴には、同じ符号が付いている。その限りでは、先の記述も指摘される。
【００５８】
調節機構３０は、把持部材１２内に設けられている。調節機構３０はスピンドル２２を有し、当該スピンドル２２は、把持部材１２の内部に回転可能に軸受けされており、かつスピンドル２２の長手軸に関して把持部材１２の長手配列の方向もしくはそれにほぼ平行に配列されている。スピンドル２２は、ここでは、図２ａ及び図２ｂに従った実施形態と比較できるように、回転輪もしくはローレット車として形成されている操作要素２３と堅固に接合されている。操作要素２３の回転軸は、スピンドル２２の長手軸に対して平行に配列されている。操作要素２３は、グリップ長制限部１１から背向する、スピンドル２２の１つの端部に設けられている。この場合操作要素２３は、ここで示されている実施例においては、操作要素２３の操作面、すなわちここではローレット車の円周面が、少なくとも部分的に掌把持側１３の領域において、自由に触れることができるように、把持部材１２に組み込まれている。操作要素２３は、使用時に、親指によって快適に操作可能である。代替的あるいは付加的に、操作面は、たとえば１つの指で操作するために、把持部材１２の側面および／あるいは指把持側１４でも少なくとも部分的に自由に触れることができてよい。
【００５９】
ここで示されている実施例においては、グリップ長制限部１１は改めて剛性に形成されている。グリップ長制限部１１の第１端部は把持部材１２に挿入されており、櫛状歯車３１を備える。櫛状歯車３１は、少なくとも部分的にスピンドル２２と係合する。グリップ長制限部１１の第１端部から背向する第２端部は、図４ａ及び図４ｂに従った実施形態と比較できるように、グリップ湾曲部１５に配設されている。この場合、第２端部もしくはグリップ長制限部１１は、グリップ湾曲部１５に配設されている回動軸２０を中心に回動可能である。
【００６０】
ここで回動機構として形成されている調節機構３０を操作すると、操作要素２３の回転によって同時に、スピンドル２２が回転される。これによって、グリップ長制限部１１は、スピンドル２２と櫛状歯車３１との協働によって、回動軸２０を中心に回動可能である。それによって、様々なグリップサイズ位置が、連続的に設定可能である。
【００６１】
図５ａに従えば、グリップ長制限部１１が把持部材１２からグリップ湾曲部１５への移行領域４８に当接する最大グリップサイズ位置が示されている。この移行領域４８は、使用時に、グリップ１０もしくは把持部材１２を保持する手の縁および／あるいは小指に当たる。図５ｂに従えば、グリップ長制限部１１が図５ａと比べて回動軸２０を中心に移行領域４８から離れて回動している最小グリップサイズ位置が示されている。
【００６２】
図６ａ及び図６ｂは、グリップ長制限部１１の異なるグリップサイズ位置を有する、本発明に係る第６のグリップ１０の側面断面図を示している。先のと同じ特徴には、同じ符号が付いている。その限りでは、先の記述も指摘される。
【００６３】
グリップ長制限部１１はここでは、図５ａ及び図５ｂに従った実施形態に相当して形成されており、それに応じて、櫛状歯車３１を有する第１端部と、回動軸２０を有する第２端部とを備える。
【００６４】
操作要素２３は、ここでは同様に、回転輪もしくはローレット車として形成されている。操作要素２３は、ここで示されている実施例においては、操作要素２３の操作面、すなわちここではローレット車の円周面が、少なくとも部分的に掌把持側１３の領域において、自由に触れることができるように、把持部材１２に組み込まれている。しかしながら、操作要素２３の軸は、ここで示されている実施例においては、回動軸２０に対して平行に設けられている。櫛状歯車３１は、ここでは詳細に表わされていない、操作要素２３の歯車要素に係合し、当該歯車要素と協働する。これによって、グリップ長制限部１１は、操作要素２３によって直接操作可能である。スピンドルは、なくてもよい。
【００６５】
ここでは同様に、回動機構として形成されている調節機構３２を操作すると、グリップ長制限部１１は、操作要素２３の回転によって、かつ操作要素２３と櫛状歯車３１との協働によって、回動軸２０を中心に回動可能である。それによって、様々なグリップサイズ位置が、連続的に設定可能である。
【００６６】
図６ａに従えば、グリップ長制限部１１が把持部材１２からグリップ湾曲部１５への移行領域４８に当接する最大グリップサイズ位置が示されている。この移行領域４８は、使用時に、グリップ１０もしくは把持部材１２を保持する手の縁および／あるいは小指に当たる。
【００６７】
図６ｂに従えば、グリップ長制限部１１が図６ａと比べて回動軸２０を中心に移行領域４８から離れて回動している最小グリップサイズ位置が示されている。
【００６８】
図７ａ及び図７ｂは、グリップ長制限部１１の異なるグリップサイズ位置を有する、本発明に係る第７のグリップ１０の側面断面図を示している。先のと同じ特徴には、同じ符号が付いている。その限りでは、先の記述も指摘される。
【００６９】
回動機構として形成されている調節機構３３は、ここで示されている実施例においては、把持部材１２に配設されている。その場合調節機構３３は、把持部材１２にはめ込まれている停止レール３４を備える。停止レール３４は、把持部材１２に対向する、グリップ長制限部１１の一方の端部に配設されている停止部材３５、３６と協働する。
【００７０】
グリップ長制限部１１の第１端部から背向する第２端部は、グリップ湾曲部１５に配設されている回動軸２０を有する。
【００７１】
図７ａから、グリップ長制限部１１が把持部材１２からグリップ湾曲部１５への移行領域４８に当接する最大グリップサイズ位置が明らかとなり得る。この移行領域４８は、使用時に、グリップ１０もしくは把持部材１２を保持する手の縁および／あるいは小指に当たる。
【００７２】
図７ｂに従えば、グリップ長制限部１１が図７ａと比べて回動軸２０を中心に移行領域４８から離れて回動している最小グリップサイズ位置が示されている。
【００７３】
調節機構３３の機能の仕方は、図７ａ及び図７ｂを、図７ｃについての以下の実施形態と組み合わせて、もたらされる。
【００７４】
図７ｃは、図７ａ及び図７ｂに従った実施形態におけるグリップ長制限部１１の斜視側面図を示している。先のと同じ特徴には、同じ符号が付いている。その限りでは、先の記述も指摘される。
【００７５】
グリップ長制限部１１は、ここで示されている実施例においては、Ｕ字形に形成されている基体３７を有する。Ｕ字形の基体３７の辺部として、当該基体３７は、２つの翼部３８、３９を有する。翼部３８、３９のそれぞれの自由端部には、停止部材３５もしくは３６が設けられている。翼部３８、３９とひいては停止部材３５、３６は、矢印４０、４１に応じて、弾性を有して互いに向かって動くことができる。
【００７６】
手の幅に合うようにグリップサイズを調節するために、まず翼部３８、３９が手の指と親指とによって、矢印４０、４１の方向で互いに向かって動かされる。これによって、同時に停止部材３５、３６も互いに向かって動かされ、それによってこれらは、停止レール３４との係合から外れる。それに続いて、グリップ長制限部１１は、たとえば矢印４２に従って、あるいは矢印４２とは逆の方向に、回動軸２０を中心に回動可能である。望ましい停止位置に達したら、翼部３８、３９を放す。これによって翼部３８、３９は、図７ｃに従ったその元の位置に戻る。同時に、停止部材３５、３６は、互いから離れて動き、停止レール３４に係合する。停止レール３４の構成によっては、調節機構３３によって、断続的なもしくは具体的な予め決められたグリップサイズ設定が実現可能である。
【００７７】
図８ａ及び図８ｂは、グリップ長制限部１１の異なるグリップサイズ位置を有する、本発明に係る第８のグリップ１０の側面断面図を示している。先のと同じ特徴には、同じ符号が付いている。その限りでは、先の記述も指摘される。
【００７８】
回動機構として形成されている調節機構４３は、ここで示されている実施例においては、同様に把持部材１２に配設されている。この場合操作要素２３は、回転輪もしくはローレット車として形成されていることが意図されている。操作要素２３の回転軸は、把持部材１２とグリップ湾曲部１５を通って広がっている平面に対して直角に配列されている。操作要素２３は、当該操作要素２３の円周面が操作面として、少なくとも部分的に掌把持側１３の領域において、自由に触れることができるように、把持部材１２に位置付けられている。これによって、たとえば親指で操作要素２３を操作することが可能である。操作要素２３と同心に、歯車４４が操作要素２３と接合されている。この場合操作要素２３の回転軸の位置は、歯車４４の回転軸の位置と同じである。ここで示されている実施例においては、歯車４４の半径は、操作要素２３よりも小さい。
【００７９】
グリップ長制限部１１の第１端部は、把持部材１２に挿入されており、直線歯車４５を備える。直線歯車４５は歯車４４に係合し、それによって当該歯車と協働する。第１端部から背向する、グリップ長制限部１１の第２端部は、グリップ湾曲部１５に配設されている回動軸２０を有する。
【００８０】
操作要素２３を操作すると、当該操作要素２３と接合された歯車４４が同時に回転する。歯車４４によって、直線歯車４５は、把持部材１２の長手方向に移動可能もしくは運動可能である。
【００８１】
それによって、調節機構４３を操作すると、グリップ長制限部１１は、操作要素２３の回転によって、かつ直線歯車４５と歯車４４との協働によって、回動軸２０を中心に回動可能である。それによって、様々なグリップサイズ位置が、連続的に設定可能である。
【００８２】
図８ａに従えば、グリップ長制限部１１が回動軸２０を中心に、把持部材１２からグリップ湾曲部１５への移行領域４８から離れて回動している最小グリップサイズ位置が示されている。この移行領域４８は、使用時に、グリップ１０もしくは把持部材１２を保持する手の縁および／あるいは小指に当たる。
【００８３】
図８ｂに従えば、グリップ長制限部１１が把持部材１２からグリップ湾曲部１５への移行領域４８に当接する最大グリップサイズ位置が示されている。
【００８４】
図９ａ及び図９ｂは、グリップ長制限部１１の異なるグリップサイズ位置を有する、本発明に係るさらなるグリップ１０の側面断面図を示している。先のと同じ特徴には、同じ符号が付いている。その限りでは、先の記述も指摘される。
【００８５】
調節機構４６は、ここで示されている実施例においては、グリップ湾曲部１５に配設されている。グリップ湾曲部１５の、指把持側１４から背向する側に、ここでは球状に形成されている操作要素２３が備わっている。
【００８６】
操作要素２３は、スピンドル２２の第１端部に堅固に接合されている。スピンドル２２は、グリップ湾曲部１５内で、回転可能に軸受けされている。
【００８７】
グリップ長制限部１１は、第１端部で把持部材１２に配設されており、第１端部は固定部４７によって、指把持側１４の領域において、把持部材１２と堅固に接合されている。第１端部から背向する、グリップ長制限部１１の第２端部は、グリップ湾曲部１５内に挿入されており、直線歯車４５を有する。この実施例でフレキシブルに形成されている直線歯車４５は、スピンドル２２の領域において、当該スピンドル２２に係合し、当該スピンドル２２と協働する。
【００８８】
操作要素２３を操作すると、当該操作要素２３と接合されたスピンドル２２が同時に回転する。スピンドル２２によって、直線歯車４５は、グリップ湾曲部１５の内部で移動可能もしくは運動可能である。それによって、調節機構４６を操作すると、グリップ長制限部１１は、操作要素２３の回転によって、かつ直線歯車４５とスピンドル２２との協働によって、回動軸２０を中心に回動可能である。
【００８９】
調節機構４６と、フレキシブルに構成されたグリップ長制限部１１とによって、当該グリップ長制限部１１の長さは、グリップ開口部１９の領域において変更可能である。様々に設定可能なグリップ長制限部１１の長さによって、様々なグリップサイズ位置が連続的に設定可能である。この場合、回動軸２０は、ここで示されている実施例においては、物質的にではなく仮想的に形成されており、グリップ湾曲部１５の領域のグリップ長制限部のための固定部４７の領域にある。
【００９０】
調節機構４６は、ここで示されている実施例においては、移動機構と調節機構として形成されている。この場合移動は、操作要素２３によって、歯車レーン４５とスピンドル２２との協働で行われる。同時に回動は、回動軸２０を中心にして行われる。
【００９１】
図９ａから、この実施形態においてフレキシブルに形成されたグリップ長制限部１１が把持部材１２からグリップ湾曲部１５への移行領域４８に当接する最大グリップサイズ位置が明らかとなり得る。この移行領域４８は、使用時に、グリップ１０もしくは把持部材１２を保持する手の縁および／あるいは小指に当たる。
【００９２】
図９ｂに従えば、グリップ長制限部１１が図９ａと比べて回動軸２０を中心に移行領域４８から離れて回動している最小グリップサイズ位置が示されている。この場合回動軸２０は、把持部材１２に配設されている。
【００９３】
図１ａから図９ｂまでで前述されたようなグリップ１０はすべて、組み込まれた構成要素としてハウジングと形成されていてよい。
【００９４】
たとえば、グリップ１０は、リード装置のハウジング内に組み込まれていてよい。リード装置は、リードを巻き取りかつ繰り出すために意図されていてよい。この場合、リードもしくはリード装置は、たとえば犬あるいは猫のような動物を連れて行くために用いられる。このためにリードは、ハウジング内部でリードロールにガイドされ、リード開口部によってハウジングから外に向かってガイド可能である。繰り出しプロセスを停止し、ひいては繰り出されるリード長を制限するために、ブレーキボタンが備わっていてよい。
【符号の説明】
【００９５】
１０  グリップ
１１  グリップ長制限部
１２  把持部材
１３  掌把持側
１４  指把持側
１５  グリップ湾曲部
１６  調節機構
１１６  調節機構
１７  第１停止要素
１１７  さらなる第１停止要素
１８  第２停止要素
１１８  さらなる第２停止要素
１９  グリップ開口部
２０  回動軸
２１  調節機構
２２  スピンドル
２３  操作要素
２４  スピンドルナット
２５  調節機構
２６  歯列
２７  鳩目
２８  調節機構
２９  回転軸
３０  調節機構
３１  櫛状歯車
３２  調節機構
３３  調節機構
３４  停止レール
３５  停止部材
３６  停止部材
３７  基体
３８  翼部
３９  翼部
４０  矢印
４１  矢印
４２  矢印
４３  調節機構
４４  歯車
４５  直線歯車
４６  調節機構
４７  固定部
４８  移行領域
４９  ストッパ
【図１ａ】
0005504318.tif 000002
【図１ｂ】
0005504318.tif 000003
【図１ｃ】
0005504318.tif 000004
【図１ｄ】
0005504318.tif 000005
【図１ｅ】
0005504318.tif 000006
【図２ａ】
0005504318.tif 000007
【図２ｂ】
0005504318.tif 000008
【図３ａ】
0005504318.tif 000009
【図３ｂ】
0005504318.tif 000010
【図４ａ】
0005504318.tif 000011
【図４ｂ】
0005504318.tif 000012
【図５ａ】
0005504318.tif 000013
【図５ｂ】
0005504318.tif 000014
【図６ａ】
0005504318.tif 000015
【図６ｂ】
0005504318.tif 000016
【図７ａ】
0005504318.tif 000017
【図７ｂ】
0005504318.tif 000018
【図７ｃ】
0005504318.tif 000019
【図８ａ】
0005504318.tif 000020
【図８ｂ】
0005504318.tif 000021
【図９ａ】
0005504318.tif 000022
【図９ｂ】
0005504318.tif 000023